【事件の表示】
　平成　６年特許願第２７３２８９号「番組選択システム、受信装置、および番組選択画面表示方法」拒絶査定不服審判事件〔平成　８年　５月３１日出願公開、特開平　８−１３９６１９、請求項の数（２６）〕について、次のとおり審決する。
【結　論】
　原査定を取り消す。
　本願の発明は、特許すべきものとする。
【理　由】
１．手続の経緯・本願発明
　本願は、平成６年１１月８日の出願であって、その特許請求の範囲の請求項１ないし２６に係る発明は、平成１８年２月２０日付けの手続補正書により補正された明細書及び図面の記載からみて、その特許請求の範囲の請求項１ないし２６に記載されたとおりの次のものと認める。
　
「【請求項１】
　放送番組を受信する受信装置と、
　前記受信装置を制御するためのリモートコントローラから構成された番組選択システムにおいて、
　前記受信装置は、
　　過去の受信履歴を記憶する記憶手段と、
　　画面の水平方向の軸と垂直方向の軸のうちの一方の軸の方向に各曜日を示す表示から成る曜日軸を表示させ、他方の軸の方向に時間軸を表示させるとともに、前記記憶手段に記憶された前記受信履歴に対応する番組の情報を、前記時間軸に沿って表示させる表示制御手段とを備え、
　前記リモートコントローラは、
　　前記曜日軸上において曜日を選択する曜日選択手段と、
　　前記時間軸に沿って表示された番組の情報を選択する番組選択手段と、
　　選択された番組の情報を確定する番組確定手段とを備え、
　前記表示制御手段は、前記曜日選択手段によって選択された曜日についてのみ、番組の情報を時間軸に沿って表示させる
　ことを特徴とする番組選択システム。
　
【請求項２】
　前記曜日選択手段、番組選択手段および番組確定手段は、１本の指で操作可能である
　ことを特徴とする請求項１に記載の番組選択システム。
　
【請求項３】
　前記表示制御手段は、前記曜日軸を、上から下の方向に垂直に表示させ、前記番組の情報を、左から右の方向に、水平に表示させる
　ことを特徴とする請求項１に記載の番組選択システム。
　
【請求項４】
　前記表示制御手段は、前記曜日または番組の情報を指定するカーソルをさらに表示させ、前記曜日選択手段が操作されたとき、前記表示制御手段は前記カーソルが指定する曜日に対応する番組の情報を時間軸に沿って表示させるとともに、前記番組選択手段が操作されたとき、前記時間軸に沿って表示された番組の情報の中から前記カーソルが指定する番組の情報が選択される
　ことを特徴とする請求項１に記載の番組選択システム。
　
【請求項５】
　前記表示制御手段は、前記曜日選択手段が操作されたとき、前記曜日を指定する前記カーソルの表示位置を固定したまま、前記画面の水平方向の軸と垂直方向の軸のうちの一方の軸の方向に沿った曜日軸の表示をスクロールさせることにより、前記カーソルを前記曜日軸上において相対的に移動させる
　ことを特徴とする請求項４に記載の番組選択システム。
　
【請求項６】
　前記表示制御手段は、前記曜日選択手段が操作されたとき、前記曜日を指定する前記カーソルを、前記画面の水平方向の軸と垂直方向の軸のうちの一方の軸の方向に表示された曜日軸上を移動させる
　ことを特徴とする請求項４に記載の番組選択システム。
　
【請求項７】
　前記表示制御手段は、前記曜日選択手段が操作されたとき、前記画面の水平方向の軸と垂直方向の軸のうちの他方の軸の方向に沿って表示される番組の情報の表示位置を、前記曜日を指定する前記カーソルの移動に対応して移動させる
　ことを特徴とする請求項６に記載の番組選択システム。
　
【請求項８】
　前記表示制御手段は、前記カーソルが所定の番組に対応して表示されている状態において、前記曜日選択手段が操作されたとき、前記カーソルに対応する位置の番組を、次の頻度の番組に変更させる
　ことを特徴とする請求項４に記載の番組選択システム。
　
【請求項９】
　前記表示制御手段は、前記番組の情報として、前記番組を放送している放送局名を表示させる
　ことを特徴とする請求項１に記載の番組選択システム。
　
【請求項１０】
　前記表示制御手段は、前記番組の情報として、前記番組の名称を表示させる
　ことを特徴とする請求項１に記載の番組選択システム。
　
【請求項１１】
　前記表示制御手段は、前記曜日軸と平行に、選択した前記番組を録画する機器の候補のリストをさらに表示させる
　ことを特徴とする請求項１に記載の番組選択システム。
　
【請求項１２】
　前記番組を録画する機器の候補のリストは、録画を行わず、単に選択した番組を見るだけの場合に選択する候補を含む
　ことを特徴とする請求項１１に記載の番組選択システム。
　
【請求項１３】
　前記記憶手段は、予め設定した所定の時間以上継続して受信された番組だけを受信履歴として記憶する
　ことを特徴とする請求項１に記載の番組選択システム。
　
【請求項１４】
　曜日を選択する曜日選択手段と、
　時間軸に沿って表示された番組の情報を選択する番組選択手段と、
　選択された番組の情報を確定する番組確定手段とを備えるリモートコントローラからの制御に従って放送番組を受信する受信装置において、
　過去の受信履歴を記憶する記憶手段と、
　画面の水平方向の軸と垂直方向の軸のうちの一方の軸の方向に各曜日を示す文字列からなる曜日軸を表示させ、他方の軸の方向に時間軸を表示させるとともに、前記記憶手段に記憶された前記受信履歴に対応する番組の情報を、前記時間軸に沿って表示させる表示制御手段とを備え、
　前記表示制御手段は、前記曜日選択手段によって選択された曜日についてのみ、番組の情報を時間軸に沿って表示させる
　ことを特徴とする受信装置。
　
【請求項１５】
　前記表示制御手段は、前記曜日軸を、上から下の方向に垂直に表示させ、前記番組の情報を、左から右の方向に、水平に表示させる
　ことを特徴とする請求項１４に記載の受信装置。
　
【請求項１６】
　前記表示制御手段は、前記曜日または番組の情報を指定するカーソルをさらに表示させ、
　前記曜日選択手段が操作されたとき、前記表示制御手段は前記カーソルが指定する曜日に対応する番組の情報を時間軸に沿って表示させるとともに、前記番組選択手段が操作されたとき、前記時間軸に沿って表示された番組の情報の中から前記カーソルが指定する番組の情報が選択される
　ことを特徴とする請求項１４に記載の受信装置。
　
【請求項１７】
　前記表示制御手段は、前記曜日選択手段が操作されたとき、前記曜日を指定する前記カーソルの表示位置を固定したまま、前記画面の水平方向の軸と垂直方向の軸のうちの一方の軸の方向に沿った曜日の表示をスクロールさせることにより、前記カーソルを前記曜日軸上において相対的に移動させる
　ことを特徴とする請求項１６に記載の受信装置。
　
【請求項１８】
　前記表示制御手段は、前記曜日選択手段が操作されたとき、前記曜日を指定する前記カーソルを、前記画面の水平方向の軸と垂直方向の軸のうちの一方の軸の方向に表示された曜日軸上を移動させる
　ことを特徴とする請求項１４に記載の受信装置。
　
【請求項１９】
　前記表示制御手段は、前記曜日選択手段が操作されたとき、前記画面の水平方向の軸と垂直方向の軸のうちの他方の軸の方向に沿って表示される番組の情報の表示位置を、前記曜日を指定する前記カーソルの移動に対応して移動させる
　ことを特徴とする請求項１８に記載の受信装置。
　
【請求項２０】
　前記表示制御手段は、前記カーソルが所定の番組に対応して表示されている状態において、前記曜日選択手段が操作されたとき、前記カーソルに対応する位置の番組を、次の頻度の番組に変更させる
　ことを特徴とする請求項１４に記載の受信装置。
　
【請求項２１】
　前記表示制御手段は、前記番組の情報として、前記番組を放送している放送局名を表示させる
　ことを特徴とする請求項１５に記載の受信装置。
　
【請求項２２】
　前記表示制御手段は、前記番組の情報として、前記番組の名称を表示させる
　ことを特徴とする請求項１５に記載の受信装置。
　
【請求項２３】
　前記表示制御手段は、前記曜日軸と平行に、選択した前記番組を録画する機器の候補のリストをさらに表示させる
　ことを特徴とする請求項１５に記載の受信装置。
　
【請求項２４】
　前記番組を録画する機器の候補のリストは、録画を行わず、単に選択した番組を見るだけの場合に選択する候補を含む
　ことを特徴とする請求項２３に記載の受信装置。
　
【請求項２５】
　前記記憶手段は、予め設定した所定の時間以上継続して受信された番組だけを受信履歴として記憶する
　ことを特徴とする請求項１５に記載の受信装置。
　
【請求項２６】
　曜日を選択する曜日選択手段と、
　時間軸に沿って表示された番組の情報を選択する番組選択手段と、
　選択された番組の情報を確定する番組確定手段とを備えるリモートコントローラからの制御に従って放送番組を受信する受信装置の番組選択画面表示方法において、
　過去の受信履歴を記憶する記憶ステップと、
　画面の水平方向の軸と垂直方向の軸のうちの一方の軸の方向に各曜日を示す文字列からなる曜日軸を表示させ、他方の軸の方向に時間軸を表示させるとともに、前記記憶ステップの処理で記憶された前記受信履歴に対応する番組の情報を、前記時間軸に沿って表示させる表示制御ステップとを含み、
　前記表示制御ステップは、前記曜日選択手段によって選択された曜日についてのみ、番組の情報を時間軸に沿って表示させる
　ことを特徴とする番組選択画面表示方法。」
　
２．引用例
　これに対して、原査定の拒絶の理由に引用された、特開平６−１２４３０９号公報（以下、「引用例１」という。）、特開平５−２８４４８１号公報（以下、「引用例２」という。）、特開平５−１０９１４８号公報（以下、「引用例３」という。）には、それぞれ、図面とともに次の事項が記載されている。
　
［引用例１］
Ａ．「【０００１】
【産業上の利用分野】本発明は、電子メールシステム、データベースシステム、テレビ受信機、ラジオ受信機等のように、複数の情報の内から、選択された情報を利用者に提供する情報サービスシステムに関するものである。」
　
Ｂ．「【００１４】
【実施例】以下、本発明に係る情報サ−ビスシステムの第１の実施例を説明する。
　・・・（中略）・・・
【００２０】情報源６は、たとえば、複数の分類に分類された複数の情報を記憶するデータベース（メモリ）であったり、複数の放送局である。編集手段７は、選択情報１５を編集し、モニタ８に対して編集した情報内容を表示する。
　・・・（中略）・・・
【００４９】また、以上の説明では、利用者毎に、各情報分類の関心度を管理したが、さらに、各利用者について、利用時状況毎に各情報分類の関心度を管理するようにしてもよい。利用時状況の情報とは、たとえば、利用の曜日や、時間帯や、利用時の利用者の気分や、どのような目的で当該情報にアクセスするかの理由等である。
　・・・（後略）・・・」
　
Ｃ．「【００７８】以下、本発明に係る情報サービスシステムのテレビシステムへの適用例を、本発明の第２の実施例として説明する。すなわち、情報源の情報が１つの番組である場合である。
　・・・（中略）・・・
【００９１】以下、本第２実施例に係るテレビシステムの動作を説明する。
【００９２】まず、関心情報インデックス提示手段９Ａ、ひな形アクセス情報記憶手段１０Ａを利用しない場合の動作について説明する。
【００９３】図９に、この場合の動作の流れを示す。
　・・・（中略）・・・
【００９５】ここで、自動モードとは、利用者が希望とする番組を、テレビシステムが自動的に選局するモードである。このため、自動モードのときには、利用者を識別する情報と自動モードであることを示す情報のみを、利用者は入力すればよい。次に、選局モードとは、利用者が番組を直接選局するモードである。選局モード時、利用者はチャンネルキー８０４を用いて選局を行い、テレビシステムは、選ばれた局に対応する番組に応じて利用者の関心度を学習する。
　・・・（後略）・・・」
　
　上記ＡないしＣの記載及び関連する図面を参照すると、引用例１には、「選局モード時に利用者によって選ばれた局に対応する番組に応じて、利用の曜日や時間帯ごとに利用者の関心度の算出、管理を行うテレビシステム」が記載されていると認められる。
　
［引用例２］
Ｄ．「【０００１】
【産業上の利用分野】本発明は文字放送受信機に係わり、文字放送によるテレビ番組情報を用いて各チャンネルのテレビ番組データを全てメモリに記憶し、同テレビ番組データをモニタ画面に表示しＶＴＲの録画予約をするものに関する。」
Ｅ．「【００１０】図６は録画予約の動作を示すフローチャートである。
　・・・（中略）・・・
「曜／頁」繰りキーの入力を待ち（ST12）、同入力があれば（ST12、YES)指定の曜日・頁のデータをデータメモリ10より読み出して表示信号に変換出力し（ST13）、例えば、図３の如くモニタ２にて表示する。同図においてカーソルは表示位置の背景色を変える等で表示する。次に、カーソルキーの入力を待ち（ST14）、同入力があれば（ST14、YES)指定に従い画面の上下に表示カーソルを移動する（ST15）。次いで、設定キーの入力を検知して（ST16、YES)前記カーソル表示のテレビ番組データをデータメモリ10より検索して読み出し、同テレビ番組データを予約メモリ11に書き込み記憶する（ST17）。
　・・・（後略）・・・」
　
　上記Ｄ及びＥの記載、並びに関連する図面を参照すると、引用例２には、「指定された曜日についてのみ、時間順に並べられたテレビ番組データを表示させる文字放送受信機」が記載されていると認められる。
　
［引用例３］
Ｆ．「【０００１】
【産業上の利用分野】本発明は、タイマ予約録画機能を有するビデオテープレコーダ（以下、ＶＴＲと称す）に関するものである。」
　
Ｇ．「【００１２】以上のように構成されたＶＴＲについて以下その動作を詳しく説明する。
　・・・（中略）・・・
まず予約設定時には、キー入力装置９の中の録画予約を選ぶと図２に示した録画予約メニュー画面がＯＳＤ回路６を介してビデオ信号処理回路７によりモニタ８へ表示される。この図２の録画予約メニュー画面の中からキー入力装置９によりメニュー番号“３”を選び“曜日予約”を選択すると、図３の曜日選択画面に表示内容が変わる。この図３の曜日選択画面からキー入力装置９により予約設定したい曜日番号たとえば“水曜日”なら“４”を選択すると、図４に示したように、“水曜日”の曜日予約一覧画面に表示内容が変わる。
　・・・（後略）・・・」
　
　上記Ｆ及びＧの記載、並びに関連する図面を参照すると、引用例３には、「曜日選択画面において選択された曜日に対応する曜日予約一覧画面を表示するＶＴＲ」が記載されていると認められる。
　
３．当審の判断
［請求項１に係る発明について］
　上記２．で示したとおり、引用例１には、「選局モード時に利用者によって選ばれた局に対応する番組に応じて、利用の曜日や時間帯ごとに利用者の関心度の算出、管理を行うテレビシステム」が記載されている。
　同様に、引用例２には、「指定された曜日についてのみ、時間順に並べられたテレビ番組データを表示させる文字放送受信機」が記載されている。
　同様に、引用例３には、「曜日選択画面において選択された曜日に対応する曜日予約一覧画面を表示するＶＴＲ」が記載されている。
　これに対して、請求項１に係る発明においては、「表示制御手段」が、「画面の水平方向の軸と垂直方向の軸のうちの一方の軸の方向に各曜日を示す表示から成る曜日軸を表示させ、他方の軸の方向に時間軸を表示させる」とともに「曜日選択手段によって選択された曜日についてのみ、番組の情報を時間軸に沿って表示させる」事項が特定されているが、少なくとも当該事項は、引用例１ないし３に記載も示唆もされていない。
　よって、引用例１ないし３に記載されたものを組み合わせても、「画面の水平方向の軸と垂直方向の軸のうちの一方の軸の方向に各曜日を示す表示から成る曜日軸を表示させ、他方の軸の方向に時間軸を表示させる」とともに「曜日選択手段によって選択された曜日についてのみ、番組の情報を時間軸に沿って表示させる」ことは容易に想到し得ないものである。
　そして、請求項１に係る発明は、「画面の水平方向の軸と垂直方向の軸のうちの一方の軸の方向に各曜日を示す表示から成る曜日軸を表示させ、他方の軸の方向に時間軸を表示させる」とともに「曜日選択手段によって選択された曜日についてのみ、番組の情報を時間軸に沿って表示させる」ことにより、「・・・モニタ装置４に表示されているチューナ２１の受信画像が、これらの曜日や時間軸によって隠されてしまい、見にくくなるようなことが最小限に抑制される」（発明の詳細な説明第００８６段落）という明細書記載の効果を奏するものと認められる。
　したがって、請求項１に係る発明は、引用例１ないし３に記載された発明に基づいて当業者が容易に発明をすることができたものとすることができない。
　
［請求項２ないし１３に係る発明について］
　請求項２ないし１３に係る発明は、請求項１に係る発明を直接的あるいは間接的に引用するものであり、少なくとも、「表示制御手段」が、「画面の水平方向の軸と垂直方向の軸のうちの一方の軸の方向に各曜日を示す表示から成る曜日軸を表示させ、他方の軸の方向に時間軸を表示させる」とともに「曜日選択手段によって選択された曜日についてのみ、番組の情報を時間軸に沿って表示させる」事項が特定されるものであるから、請求項１に係る発明と同様に、引用例１ないし３に記載された発明に基づいて当業者が容易に発明をすることができたものとすることができない。
［請求項１４に係る発明について］
　請求項１４に係る発明においては、請求項１に係る発明と同様に、「表示制御手段」が、「画面の水平方向の軸と垂直方向の軸のうちの一方の軸の方向に各曜日を示す文字列からなる曜日軸を表示させ、他方の軸の方向に時間軸を表示させる」とともに「曜日選択手段によって選択された曜日についてのみ、番組の情報を時間軸に沿って表示させる」事項が特定されている。
　そのため、請求項１４に係る発明は、請求項１に係る発明と同様に、引用例１ないし３に記載された発明に基づいて当業者が容易に発明をすることができたものとすることができない。
　
［請求項１５ないし２５に係る発明について］
　請求項１５ないし２５に係る発明は、請求項１４に係る発明を直接的あるいは間接的に引用するものであり、少なくとも、「表示制御手段」が、「画面の水平方向の軸と垂直方向の軸のうちの一方の軸の方向に各曜日を示す文字列からなる曜日軸を表示させ、他方の軸の方向に時間軸を表示させる」とともに「曜日選択手段によって選択された曜日についてのみ、番組の情報を時間軸に沿って表示させる」事項が特定されるものであるから、請求項１４に係る発明と同様に、引用例１ないし３に記載された発明に基づいて当業者が容易に発明をすることができたものとすることができない。
　
［請求項２６に係る発明について］
　請求項２６に係る発明においては、「表示制御ステップ」が、「画面の水平方向の軸と垂直方向の軸のうちの一方の軸の方向に各曜日を示す文字列からなる曜日軸を表示させ、他方の軸の方向に時間軸を表示させる」とともに「曜日選択手段によって選択された曜日についてのみ、番組の情報を時間軸に沿って表示させる」事項が特定されている。
　そして、請求項２６に係る発明における上記「表示制御ステップ」によって行われる処理は、請求項１に係る発明における「表示制御手段」によってなされる表示に係る処理と実質的に同じものであるから、請求項２６に係る発明は、請求項１に係る発明と同様に、引用例１ないし３に記載された発明に基づいて当業者が容易に発明をすることができたものとすることができない。
　
　以上のとおり、本願の請求項１ないし２６に係る発明は、引用例１ないし３に記載された発明に基づいて当業者が容易に発明をすることができたものとすることができないものであり、特許法第２９条第２項の規定により特許を受けることができないとすることはできない。 
　
４．むすび
　したがって、本願については、原査定の拒絶理由によって拒絶すべきものとすることはできない。
　また、他に本願を拒絶すべき理由を発見しない。
　よって、結論のとおり審決する。